(57)【要約】      （修正有）【課題】外観の意匠性を確保しつつ、防水性能を向上させることができる便器装置を提供する。【解決手段】便器装置１は、便器３と、便器３の後部に配置され上端において開口する収容部３２と、収容部３２に収容され電気部品を有する洗浄装置４と、を備え、便器３と収容部３２とは、陶器により一体で形成され、電気部品の少なくとも一部を覆うように電気部品の上方及び／又は側方に配置される防水部材６を備える。防水部材６は、電気部品の上方に配置される上面部６１を有することができる。防水部材６は、電気部品の側方に配置される側面部６４を有することができる。【選択図】図２
2020169538.tif 000002
【特許請求の範囲】
【請求項１】
便器と、
前記便器の後部に配置され上端において開口する収容部と、
前記収容部に収容され電気部品を有する洗浄装置と、を備える便器装置であって、
前記便器と前記収容部とは、陶器により一体で形成され、
前記電気部品の少なくとも一部を覆うように前記電気部品の上方及び／又は側方に配置される防水部材を更に備える便器装置。
【請求項２】
前記防水部材は、前記電気部品の上方に配置される上面部を有する請求項１に記載の便器装置。
【請求項３】
前記上面部は、前記収容部と前記便器とに跨って延びる延出部を有する請求項２に記載の便器装置。
【請求項４】
前記上面部の下面には、緩衝部材が設けられる請求項２又は３に記載の便器装置。
【請求項５】
前記防水部材は、前記電気部品の側方に配置される側面部を有する請求項１〜４のいずれかに記載の便器装置。
【請求項６】
前記収容部は、後部に形成され上下方向に延びる壁部と、前記壁部に形成される貫通開口と、を有し、
前記側面部は、前記貫通開口の少なくとも一部に対向して配置される対向面部を有する請求項５に記載の便器装置。
【請求項７】
前記防水部材は、１枚のシートから形成される請求項１〜６のいずれかに記載の便器装置。
【発明の詳細な説明】
【技術分野】
【０００１】
本発明は、便器装置に関する。
【背景技術】
【０００２】
従来、防水性能を向上させるために、便器の上面にパッキンを設けた便器装置が開示されている（例えば、特許文献１参照）。
また、防水性能を向上させるために、便器の後部の配管部分がシールされた構造を備えた便器装置が開示されている（例えば、特許文献２参照）。
【先行技術文献】
【特許文献】
【０００３】
【特許文献１】特開２０１７−１９０５６８号公報
【特許文献２】特開２０１１−２５６７０７号公報
【発明の概要】
【発明が解決しようとする課題】
【０００４】
便器装置において、便器の後部に配置される機能部の防水性能を向上させることが求められている。一方、便器の後部に防水部材を取り付けることで外観が損なわれる可能性がある。
【０００５】
本発明は、外観の意匠性を確保しつつ、防水性能を向上させることができる便器装置を提供することを目的とする。
【課題を解決するための手段】
【０００６】
本発明は、便器（例えば、後述の便器３）と、前記便器の後部に配置され上端において開口する収容部（例えば、後述の洗浄装置収容部３２）と、前記収容部に収容され電気部品（例えば、後述の電気部品４０）を有する洗浄装置（例えば、後述の便器洗浄装置４）と、を備える便器装置であって、前記便器と前記収容部とは、陶器により一体で形成され、前記電気部品の少なくとも一部を覆うように前記電気部品の上方及び／又は側方に配置される防水部材（例えば、後述の防水部材６）を更に備える便器装置（例えば、後述の便器装置１）に関する。
【０００７】
また、前記防水部材は、前記電気部品の上方に配置される上面部（例えば、後述の上面部６１）を有することが好ましい。
【０００８】
また、前記上面部は、前記収容部と前記便器とに跨って延びる延出部（例えば、後述の上面部延出部６１３）を有することが好ましい。
【０００９】
また、前記上面部の下面には、緩衝部材（例えば、後述の緩衝部材６５）が設けられることが好ましい。
【００１０】
また、前記防水部材は、前記電気部品の側方に配置される側面部（例えば、後述の第１側面部６２、第２側面部６３、第３側面部６４）を有することが好ましい。
【００１１】
また、前記収容部は、後部に形成され上下方向に延びる壁部（例えば、後述の背面壁３１１ａ）と、前記壁部に形成される貫通開口（例えば、後述の貫通開口３４）と、を有し、前記側面部は、前記貫通開口の少なくとも一部に対向して配置される対向面部（例えば、後述の下端部６４ａ）を有することが好ましい。
【００１２】
また、前記防水部材は、１枚のシートから形成されることが好ましい。
【発明の効果】
【００１３】
本発明によれば、外観の意匠性を確保しつつ、防水性能を向上させることができる便器装置を提供することができる。
【図面の簡単な説明】
【００１４】
【図１】本発明の一実施形態に係る便器装置の斜視図である。
【図２】便器本体に防水部材を配置した状態を示す斜視図である。
【図３】便器本体から防水部材を取り外した状態を示す斜視図である。
【図４】防水部材を示す斜視図である。
【図５】図２のＡ−Ａ線断面図である。
【図６】図２のＢ−Ｂ線断面図である。
【図７】図２のＣ−Ｃ線断面図である。
【図８】機能部からトップカバーを取り外した状態を示す斜視図である。
【図９】図８のＤ−Ｄ線断面図である。
【図１０】機能部を下方側から視た斜視図である。
【図１１】メインカバーから、サブカバー、サブカバー延出部材、第１側縁部シール部材、第２側縁部シール部材、上部シール部材、第１上面貫通孔シール部材及び第２上面貫通孔シール部材を取り外した状態を示す斜視図である。
【図１２】第２側縁部シール部材が取り付けられた状態を示す斜視図である。
【発明を実施するための形態】
【００１５】
以下、本発明の便器装置１の一実施形態について、図面を参照しながら説明する。図１は、本発明の一実施形態に係る便器装置１の斜視図である。図２は、便器本体２に防水部材６を配置した状態を示す斜視図である。
なお、以下の説明において、便器３に着座した使用者から見た場合の前後の向きを前後方向とする。また、便器３に着座した使用者から見た場合の左右の向きを左右方向とする。また、便器３が設置される床面に対する鉛直方向に沿う上下の向きを上下方向とする。
【００１６】
本実施形態の便器装置１は、図１及び図２に示すように、便器本体２と、便器洗浄装置４（洗浄装置）と、便器本体２と便器洗浄装置４とを固定する固定プレート５と、防水部材６と、機能部７と、機能部７の前部に回動可能に取り付けられた便座（図示せず）及び便蓋２１と、を備える。
【００１７】
便器本体２について説明する。図３は、便器本体２から防水部材６を取り外した状態を示す斜視図である。図４は、防水部材６を示す斜視図である。図５は、図２のＡ−Ａ線断面図である。図６は、図２のＢ−Ｂ線断面図である。図７は、図２のＣ−Ｃ線断面図である。
便器本体２は、図３に示すように、便器３と、洗浄装置収容部３２（収容部）と、を有する。便器本体２は、便器３と洗浄装置収容部３２とが陶器により一体で構成されている。本実施形態においては、便器３は、例えば、陶器製であり、外周壁部３１により全周で囲まれて形成される。
【００１８】
洗浄装置収容部３２は、便器３の後部に配置される。洗浄装置収容部３２には、便器洗浄装置４が収容される。洗浄装置収容部３２は、外周壁部３１における後部を構成する平面視略Ｕ字状の後部壁部３１１に囲まれて形成される。洗浄装置収容部３２の上端には、便器開口部３３（開口部）が開口して形成される。後部壁部３１１は、背面側に形成され上下方向に延びる背面壁３１１ａ（壁部）を有する。後部壁部３１１の背面壁３１１ａには、貫通開口３４が形成される。
【００１９】
固定プレート５は、図３に示すように、便器３と便器洗浄装置４とを固定すると共に、上面には、機能部７（図１参照）が固定される。固定プレート５は、前後方向の途中に段差部５１が形成されており、段差部５１の前側において、便器３の上面３ａに固定される。また、固定プレート５の段差部５１の後側には、便器洗浄装置４が接続されている。
【００２０】
便器洗浄装置４は、便器３の後部に形成される洗浄装置収容部３２の内部に配置されている。便器洗浄装置４は、図５〜図７に示すように、便器洗浄タンク４１と、基板取付上面板４２と、プリント基板４３と、ポンプ４４と、を有する。
【００２１】
便器洗浄タンク４１は、図６に示すように、便器３の後部に形成される洗浄装置収容部３２の内部の下方側に配置される。便器洗浄タンク４１は、外部の給水源から供給される洗浄水を貯留する。便器洗浄タンク４１には、給水ホース１１（図３参照）を通して、機能部７を介して導入された水（洗浄水）が貯留される。給水ホース１１は、図２に示すように、便器３の後部に形成される貫通開口３４に通されている。
【００２２】
ポンプ４４は、便器３を洗浄する際に、便器洗浄タンク４１に貯留された水（洗浄水）を吸い上げて、便器３側に吐出する。
ポンプ４４は、図５〜図７に示すように、便器本体２の後部側において、便器洗浄タンク４１の上方側に配置される。ポンプ４４は、図６及び図７に示すように、配線ケーブル（図示せず）が接続されるコネクタ４４１を有する。ポンプ４４には、コネクタ４４１及び配線ケーブル（図示せず）を介して、後述するプリント基板４３に接続されている。コネクタ４４１は、便器洗浄装置４の電気部品４０の一部を構成する。
【００２３】
プリント基板４３は、図６に示すように、基板取付上面板４２の下面側に取り付けられた状態で、ポンプ４４の上方に配置される。基板取付上面板４２は、便器本体２の後部側に形成される洗浄装置収容部３２において、左右方向の一方側の上部に配置される。プリント基板４３は、便器洗浄装置４に配置された電気部品４０の一部を構成し、プリント基板４３の下面には、便器洗浄装置４を動作させるための各種電気部品が実装されている。
【００２４】
防水部材６は、図３及び図４に示すように、シート状に形成され、電気部品４０（プリント基板４３、ポンプ４４のコネクタ４４１など）の少なくとも一部を覆うように電気部品４０の上方及び側方に配置される。防水部材６は、１枚のシートから形成される。詳細には、防水部材６は、所定形状に形成した１枚のシートを折り曲げることにより形成される。本実施形態においては、防水部材６は、例えば、樹脂材料で、板状に形成される。
防水部材６は、上面部６１と、第１側面部６２（側面部）と、第２側面部６３（側面部）と、第３側面部６４と、を有する。
【００２５】
上面部６１は、図６に示すように、電気部品４０の上方に配置される。本実施形態においては、上面部６１は、プリント基板４３が取り付けられる基板取付上面板４２の上方に配置されている。上面部６１は、水平方向に延びるシート状に形成され、上面部本体６１１と、上面部延在部６１２と、上面部延出部６１３と、接続片６１５と、を有する。上面部６１における後部側の左右方向の他方側の角には、図２、図３及び図７に示すように、便器洗浄装置４を通るホース（図示せず）を避けるため、Ｌ字状の切り欠き６１ａが設けられている。
【００２６】
上面部本体６１１は、図３、図６及び図７に示すように、洗浄装置収容部３２において、左右方向の一方側に配置される。上面部本体６１１は、電気部品４０（プリント基板４３、ポンプ４４のコネクタ４４１など）の上方側に配置される。
【００２７】
上面部延在部６１２は、上面部本体６１１の左右方向の他方側の端部から、洗浄装置収容部３２の左右方向の中央側に延在して形成される。上面部延在部６１２は、固定プレート５の上方側に配置される。上面部延在部６１２の下面には、荷重を受けることが可能な緩衝部材６５が設けられる。緩衝部材６５は、上面部延在部６１２の下面に固定される。緩衝部材６５は、固定プレート５の段差部５１（図３参照）に配置される。
【００２８】
上面部延出部６１３は、上面部延在部６１２の左右方向の他方側の端部から、左右方向の他方側及び便器３の前方側に延びる。上面部延在部６１２は、図２に示すように、洗浄装置収容部３２と便器３とに跨って延びる。
【００２９】
第１側面部６２、第２側面部６３及び第３側面部６４は、図２及び図３に示すように、上下方向に延びるシート状に形成され、図６に示すように、便器洗浄装置４の電気部品４０（プリント基板４３、コネクタ４４１）の側方に配置される。
【００３０】
第１側面部６２は、上面部６１の上面部本体６１１の左右方向の一端から下方側に延びる。第１側面部６２は、前後方向及び上下方向に延びるシート状に形成される。第１側面部６２は、プリント基板４３の左右方向の一端側の側方において、電気部品４０（プリント基板４３、コネクタ４４１）を覆うように配置される。
【００３１】
第２側面部６３は、上面部６１の上面部本体６１１の前後方向の後端から下方側に延びる。第２側面部６３は、左右方向及び上下方向に延びるシート状に形成される。第２側面部６３は、プリント基板４３の前後方向の後端側の側方において、電気部品４０（プリント基板４３、コネクタ４４１）を覆うように配置される。
【００３２】
第３側面部６４は、上面部６１の上面部本体６１１の後方側の端部側に形成される接続片６１５から下方に延びる。第３側面部６４は、図２に示すように、配置空間３３１に配置される。配置空間３３１は、洗浄装置収容部３２の後方側の左右方向の中央寄りに形成され、第３側面部６４を挿入可能に上下方向に延びる。
【００３３】
第３側面部６４は、図３及び図４に示すように、第１縦長部６４１と、第２縦長部６４２と、第３縦長部６４３と、を有する。
第１縦長部６４１は、上面部６１の上面部本体６１１の後方側の端部側に形成される接続片６１５から下方に延びる。第１縦長部６４１は、前後方向に幅を有して上下方向に延びる。
第２縦長部６４２は、第１縦長部６４１の後方側の端部から左右方向の一方側に所定幅で延びると共に、第１縦長部６４１に沿って上下方向に延びる。
第３縦長部６４３は、第１縦長部６４１の前方側の端部から左右方向の他方側に所定幅で延びると共に、第１縦長部６４１に沿って上下方向に延びる。
【００３４】
図５に示すように、第３縦長部６４３（第３側面部６４）の下端部６４ａは、便器３の後部壁部３１１の背面壁３１１ａに形成される貫通開口３４の少なくとも一部に対向して配置される対向面部を構成する。なお、第３縦長部６４３（第３側面部６４）の下端部６４ａにより構成される対向面部は、貫通開口３４に対して平行な状態で対向して配置されていてもよいし、貫通開口３４に対して傾斜した状態で対向して配置されていてもよい。これにより、貫通開口３４から浸入する水は、電気部品４０側に向かうことが妨げられて第３側面部６４の下端部６４ａに沿って下方に移動される。よって、貫通開口３４から浸入する水が、電気部品４０に掛かることを低減できる。
【００３５】
なお、便器３の後部壁部３１１の背面壁３１１ａに形成される貫通開口３４に対向して配置される部分は、第３側面部６４における第３縦長部６４３のみに限定されず、第３側面部６４における第１縦長部６４１、第２縦長部６４２及び第３縦長部６４３のうち、いずれか１つの部分であってもよく、２つ以上の部分であってもよい。
【００３６】
図５に示すように、便器３の背面壁３１１ａの貫通開口３４を便器３の後方側から視た場合に、貫通開口３４から電気部品４０を斜め方向に視た場合に重なる領域Ｒにおいて、貫通開口３４と電気部品４０（プリント基板４３、コネクタ４４１）との間には、第３側面部６４の少なくとも一部が配置されている。これにより、貫通開口３４から浸入した水は第３側面部６４の少なくとも一部に遮断されるため、電気部品４０に水が掛かることを低減できる。
【００３７】
また、図５に示すように、第３側面部６４は、貫通開口３４の下端とコネクタ４４１（電気部品４０）の左右方向の一方側の端部とを結んだ仮想ラインＬよりも下方に存在する部分を有している。そのため、第３側面部６４は、貫通開口３４よりも上方から仮想ラインＬよりも下方に延在して形成されている。これにより、便器３の背面壁３１１ａの貫通開口３４から浸入した水が、第３側面部６４における仮想ラインＬよりも下方側において電気部品４０側に浸入することが低減され、電気部品４０に水が掛かることを低減できる。
【００３８】
以上のように構成される防水部材６を便器本体２に取り付ける場合には、図３に示す状態から、防水部材６を便器洗浄装置４の上方側から下方側に移動させて、第３側面部６４を配置空間３３１に挿入し、便器３の後部壁部３１１の一方側の側壁の内面に沿うように、便器３の後部壁部３１１の一方側の側壁と電気部品４０（プリント基板４３、コネクタ４４１）との間の隙間に第１側面部６２を挿入すると共に、後部壁部３１１の背面壁３１１ａの内面に沿うように、便器３の後部壁部３１１の背面壁３１１ａと電気部品４０（プリント基板４３、コネクタ４４１）との間の隙間に第２側面部６３を挿入する。これにより、図２に示すように、防水部材６は、電気部品４０（プリント基板４３、コネクタ４４１）（図６及び図７参照）の上方側及び側方側を覆うように配置される。よって、防水部材６を便器本体２に容易に取り付けることができ、防水部材６により、電気部品４０（プリント基板４３、コネクタ４４１）に水が掛かることを低減できる。
【００３９】
機能部７について説明する。図８は、機能部７からトップカバー７６を取り外した状態を示す斜視図である。図９は、図８のＤ−Ｄ線断面図である。図１０は、機能部７を下方側から視た斜視図である。図１１は、メインカバー７４から、サブカバー７５、サブカバー延出部材８１、第１側縁部シール部材８３、第２側縁部シール部材８４、上部シール部材８５、第１上面貫通孔シール部材８６及び第２上面貫通孔シール部材８７を取り外した状態を示す斜視図である。図１２は、第２側縁部シール部材８４が取り付けられた状態を示す斜視図である。
【００４０】
機能部７は、図１に示すように、便器３の後部において、洗浄装置収容部３２の上方に配置される。機能部７の内部には、例えば、便座（図示せず）を温める等の各種機能を実行する制御機構（図示せず）や局部洗浄装置（図示せず）が収容される。機能部７は、前側において、便座（図示せず）及び便蓋２１を回動自在に軸支する。
【００４１】
機能部７は、図８〜図１１に示すように、ベースプレート７１と、メイン基板７２及びサブ基板７３を含む電気部品７０と、メインカバー７４と、サブカバー７５と、トップカバー７６と、洗浄操作用の洗浄スイッチ７７（図１参照）と、洗剤タンク７８と、停電対応用の手動レバー７９と、を有する。また、機能部７には、図８に示すように、防水部品８０として、サブカバー延出部材８１（延出部材、浸水防止部材）と、貫通開口部シール部材８２と、第１側縁部シール部材８３（側縁部シール部材、浸水防止部材）と、第２側縁部シール部材８４（側縁部シール部材、浸水防止部材）と、上部シール部材８５（浸水防止部材）と、第１上面貫通孔シール部材８６と、第２上面貫通孔シール部材８７と、が設けられる。
【００４２】
ベースプレート７１は、便器３の上面３ａに固定された固定プレート５（図２参照）の上面に固定される。これにより、機能部７は、便器本体２の後部の上面に固定されている。ベースプレート７１には、メイン基板７２及びサブ基板７３を含む電気部品７０や、洗剤を貯留する洗剤タンク７８や、停電対応用の手動レバー７９や、各種配管などの各部材が配置されている。
【００４３】
ベースプレート７１は、図９及び図１０に示すように、前ベース７１１と、後ベース７１２と、を有する。前ベース７１１と後ベース７１２とは、隙間Ｓを有した状態で、接続されている。隙間Ｓには、メインカバー７４のメインカバー開口部７４１を通って浸入したベースプレート７１の上方側から流れる水が通ることが可能である。前ベース７１１の下面の前側には、左右方向に延びるパッキン７１１ａが配置される。パッキン７１１ａの下面は、便器３の上面３ａの後端部側に当接しており、パッキン７１１ａは、前ベース７１１と便器３とをシール（密閉）する機能を有する。パッキン７１１ａは、便器３の便鉢３ｂ（図２参照）から水が溢れた場合に、便鉢３ｂから溢れた汚水（水）が、便鉢３ｂ側から機能部７側に移動することを抑制する。また、本実施形態においては、パッキン７１１ａにより、隙間Ｓを通る水が、便器３の前側へ移動することも抑制される。
【００４４】
また、図１０に示すように、前ベース７１１と後ベース７１２との間の隙間Ｓは、左右方向の両端部寄りにおいて、防水部材６の上面部６１の上方側に位置しており、隙間Ｓと防水部材６の上面部６１の一部とは、上下方向において重なって配置される。本実施形態においては、洗浄装置収容部３２に収容される電気部品４０は、左右方向の一方の端部寄りに配置される。そのため、隙間Ｓと防水部材６の上面部６１の一部とは、特に電気部品４０が配置される側において、上下方向において重なっており、電気部品４０側への水の浸入を防ぎやすい構造である。
【００４５】
また、図１０に示すように、前ベース７１１の下面の前側に配置されるパッキン７１１ａと防水部材６の上面部６１との間には、パッキン７１１ａと防水部材６の上面部６１とが上下方向において重ならないように、前後方向において隙間Ｇが形成されている。
ここで、パッキン７１１ａと防水部材６の上面部６１とが上下方向において重なると、パッキン７１１ａにおける前ベース７１１と便器３とをシール（密閉）する機能が確保されない可能性がある。特に、便器３が陶器製の場合には、便器３を製作する際の製造上のばらつきが生じるため、パッキン７１１ａにおける前ベース７１１と便器３とをシール（密閉）する機能が確保されない可能性がある。これに対して、本発明においては、前ベース７１１の下面の前側に配置されるパッキン７１１ａと防水部材６の上面部６１との間には、前後方向において隙間Ｇが形成される。これにより、パッキン７１１ａと防水部材６の上面部６１とは上下方向において重ならないで配置され、パッキン７１１ａにおける前ベース７１１と便器３とをシール（密閉）する機能を確保することができる。
【００４６】
メインカバー７４は、ベースプレート７１の上側の外周縁を覆うように形成され、ベースプレート７１に取り付けられる。メインカバー７４は、メインカバー開口部７４１を有する。メインカバー７４のメインカバー開口部７４１は、図８に示すように、トップカバー７６により開閉可能に覆われている。メインカバー７４の側面には、図１に示すように、洗浄操作用の洗浄スイッチ７７が設けられている。
【００４７】
メインカバー７４には、図８及び図９に示すように、後述するサブカバー７５により仕切られることで、メインカバー開口部７４１側に形成され電気部品７０が配置されない露出空間Ｋ１（第１空間）と、電気部品７０が配置される内部空間Ｋ２（第２空間）と、が形成される。電気部品７０は、メインカバー開口部７４１側に露出されずに、メインカバー７４の内部の内部空間Ｋ２に配置される。メインカバー７４の内部空間Ｋ２には、図９及び図１１に示すように、メイン基板７２及びサブ基板７３が配置される。メイン基板７２及びサブ基板７３は、機能部７の電気部品７０の一部を構成する。メイン基板７２には、便器洗浄装置４を動作させるためのメインの基板であり、各種部品が実装されている。サブ基板７３は、洗浄スイッチ７７用の基板であり、洗浄スイッチ７７が設けられる部分のメインカバー７４の内部側に配置される。メインカバー７４の露出空間Ｋ１には、水が浸入しても影響のない部材が配置される。
【００４８】
メインカバー７４は、図１１に示すように、サブ基板側貫通開口部７６１（プリント基板側貫通開口部）と、左右方向の一方側に形成される一方側貫通孔７６２と、左右方向の他方側に形成される他方側貫通孔７６３と、を有する。一方側貫通孔７６２及び他方側貫通孔７６３は、例えば、メインカバー７４を成形する際の成形上の理由から形成された孔である。
【００４９】
サブ基板側貫通開口部７６１は、メインカバー７４の左右方向の他方側の後側の角部に形成される。サブ基板側貫通開口部７６１は、洗浄スイッチ７７用のサブ基板７３が配置される空間に連通する。サブ基板側貫通開口部７６１には、メインカバー７４の内面に、サブ基板側貫通開口部７６１を塞ぐ貫通開口部シール部材８２が取り付けられる。貫通開口部シール部材８２がサブ基板側貫通開口部７６１を塞いだ状態において、貫通開口部シール部材８２におけるサブ基板側貫通開口部７６１を介して外部に露出する部分には、接着剤が設けられていない。本実施形態においては、例えば、サブ基板側貫通開口部７６１から外部に露出する部分には、糊殺しの処理が施されている。
【００５０】
一方側貫通孔７６２及び他方側貫通孔７６３は、図１１に示すように、メインカバー７４におけるメインカバー開口部７４１を挟んで左右に離間して配置される。
一方側貫通孔７６２は、メインカバー７４の左右方向の一方側の上面に形成される。メインカバー７４の左右方向の一方側の上面には、一方側貫通孔７６２を塞ぐ第１上面貫通孔シール部材８６が配置されている。
他方側貫通孔７６３は、メインカバー７４の左右方向の他方側の上面に形成される。メインカバー７４の左右方向の他方側の上面には、他方側貫通孔７６３を塞ぐ第２上面貫通孔シール部材８７が配置されている。
【００５１】
停電対応用の手動レバー７９は、図１１に示すように、メインカバー７４の露出空間Ｋ１において、メインカバー７４のメインカバー開口部７４１を介して操作可能に機能部７の後側に配置されている。停電時において、トップカバー７６を外すことでメインカバー開口部７４１を開放させた状態で、停電対応用の手動レバー７９を操作することで、手動で便器３の便鉢３ｂ（図２参照）内に水を流す操作を行うことができる。
【００５２】
洗剤タンク７８は、メインカバー７４のメインカバー開口部７４１を介して洗剤を補充可能に、メインカバー７４の露出空間Ｋ１の左右方向の一方側に配置されている。洗剤タンク７８は、便器３へ供給する洗剤を貯留する。洗剤タンク７８には、洗剤を補充するための、補充用開口（図示せず）が形成され、補充用開口は、蓋部材（図示せず）により開閉可能である。洗剤タンク７８には、トップカバー７６を外すことでメインカバー開口部７４１を開放させた状態で、洗剤を補充できる。
【００５３】
サブカバー７５は、図１１に示すように、メインカバー７４のメインカバー開口部７４１の左右方向の他方側の前側の角部に配置される。サブカバー７５は、メインカバー開口部７４１の内側において、メインカバー開口部７４１側に形成され電気部品７０が配置されない露出空間Ｋ１と、電気部品７０が配置される内部空間Ｋ２と、を仕切る。サブカバー７５は、平面視において、略Ｌ字状に形成され、図１１に示すように、前後方向に延びる第１サブカバー７５１と、左右方向に延びる第２サブカバー７５２と、を有する。
【００５４】
第１サブカバー７５１は、メインカバー７４のメインカバー開口部７４１の左右方向の他方側の部分に配置され、メインカバー７４のメインカバー開口部７４１の左右方向の他方側の縁に沿って前後方向に延びると共に、上下方向に延びる。第１サブカバー７５１は、第１サブカバー上面板７５１ａと、第１サブカバー側面板７５１ｂと、を有する。第１サブカバー上面板７５１ａは、第１メインカバー上面板７４２の上方側に配置され、第１メインカバー上面板７４２にネジ８９により固定される。
【００５５】
第２サブカバー７５２は、メインカバー７４のメインカバー開口部７４１の前方側の部分に配置され、メインカバー７４のメインカバー開口部７４１の前側の縁に沿って左右方向に延びると共に、上下方向に延びる。第２サブカバー７５２は、第２サブカバー上面板７５２ａ（サブカバー上面板）と、第２サブカバー側面板７５２ｂと、を有する。第２サブカバー上面板７５２ａは、第２メインカバー上面板７４３（メインカバー上面板）の上方側に配置される。
【００５６】
第２サブカバー７５２の第２サブカバー側面板７５２ｂの下端部には、ベースプレート７１側に延びるサブカバー延出部材８１が取り付けられている。サブカバー延出部材８１は、サブカバー７５に設けられ、露出空間Ｋ１から内部空間Ｋ２への水の浸入を防止する。サブカバー延出部材８１は、サブカバー７５が露出空間Ｋ１と内部空間Ｋ２とを仕切った状態において塞ぎきれなかったベースプレート７１とサブカバー７５との間の隙間を塞ぐように、第２サブカバー７５２の第２サブカバー側面板７５２ｂの下端部から、ベースプレート７１側に向かって下方に延びる。サブカバー延出部材８１は、可撓性を有する部材により構成される。
【００５７】
本実施形態においては、サブカバー延出部材８１は、図９に示すように、上方側から下方側に向かうに従って前方側から後方側に向かうように傾斜して延びる板状に形成される。サブカバー延出部材８１は、上方側の部分が、ベースプレート７１の前ベース７１１の後端部に形成される突出部７１１ｂに撓んだ状態で当接している。なお、本実施形態においては、サブカバー延出部材８１がベースプレート７１の前ベース７１１の突出部７１１ｂに当接しているが、これに限定されない。サブカバー延出部材８１は、ベースプレート７１の前ベース７１１の突出部７１１ｂに当接せずに、ベースプレート７１の近傍まで延びて配置されていてもよい。
【００５８】
図８、図９及び図１１に示すように、第１サブカバー７５１の後側の側縁部７５１ｃ（図１１参照）とメインカバー７４との間には、第１側縁部シール部材８３が配置される。なお、第１側縁部シール部材８３は、メインカバー７４に取り付けられた状態で、第１サブカバー７５１の後側の側縁部７５１ｃとメインカバー７４との間に配置されてもよいし、サブカバー７５に取り付けられた状態で、第１サブカバー７５１の後側の側縁部７５１ｃとメインカバー７４との間に配置されてもよい。これにより、第１側縁部シール部材８３は、第１サブカバー７５１の後側の側縁部７５１ｃに設けられることになり、露出空間Ｋ１から内部空間Ｋ２への水の浸入を防止する。第１側縁部シール部材８３は、サブカバー７５が露出空間Ｋ１と内部空間Ｋ２とを仕切った状態において塞ぎきれなかったサブカバー７５とメインカバー７４との間の隙間を塞ぐように、第１サブカバー７５１の後側の側縁部７５１ｃとメインカバー７４とに跨って配置され、上下方向に延びる。
【００５９】
図１１及び図１２に示すように、第２サブカバー７５２の左右方向の一方側の側縁部７５２ｃとメインカバー７４との間には、第２側縁部シール部材８４が配置される。なお、第２側縁部シール部材８４は、メインカバー７４に取り付けられた状態で、第２サブカバー７５２の左右方向の一方側の側縁部７５２ｃとメインカバー７４との間に配置されてもよいし、サブカバー７５に取り付けられた状態で、第２サブカバー７５２の左右方向の一方側の側縁部７５２ｃとメインカバー７４との間に配置されてもよい。これにより、第２側縁部シール部材８４は、第２サブカバー７５２の左右方向の一方側の側縁部７５２ｃに設けられることになり、露出空間Ｋ１から内部空間Ｋ２への水の浸入を防止する。第２側縁部シール部材８４は、図１２に示すように、サブカバー７５が露出空間Ｋ１と内部空間Ｋ２とを仕切った状態において塞ぎきれなかったサブカバー７５とメインカバー７４との間の隙間を塞ぐように、第２サブカバー７５２の左右方向の一方側の側縁部７５２ｃとメインカバー７４の下方延在板７４４の側面部７４４ａとに跨って配置され、上下方向に延びる。
【００６０】
図９及び図１１に示すように、メインカバー７４の第２メインカバー上面板７４３の上面とサブカバー７５の第２サブカバー上面板７５２ａ（サブカバー上面板）の下面との間には、上部シール部材８５が配置される。なお、上部シール部材８５は、メインカバー７４に取り付けられた状態で、メインカバー７４の第２メインカバー上面板７４３の上面とサブカバー７５の第２サブカバー上面板７５２ａの下面との間に配置されてもよいし、サブカバー７５に取り付けられた状態で、メインカバー７４の第２メインカバー上面板７４３の上面とサブカバー７５の第２サブカバー上面板７５２ａの下面との間に配置されてもよい。これにより、上部シール部材８５は、第２サブカバー上面板７５２ａの下面に設けられることになり、露出空間Ｋ１から内部空間Ｋ２への水の浸入を防止する。上部シール部材８５は、サブカバー７５が露出空間Ｋ１と内部空間Ｋ２とを仕切った状態において塞ぎきれなかったサブカバー７５とメインカバー７４との間の隙間を塞ぐように、サブカバー７５とメインカバー７４との間において左右方向に延びる板状に形成される。メインカバー７４の第２メインカバー上面板７４３、上部シール部材８５及びサブカバー７５の第２サブカバー上面板７５２ａは、ネジ８８により共締めされる。
【００６１】
トップカバー７６は、図８に示すように、メインカバー７４のメインカバー開口部７４１を開閉可能に、メインカバー７４に取り付けられる。トップカバー７６は、閉状態において、メインカバー７４のメインカバー開口部７４１を覆うと共に、サブカバー７５を覆うように配置される。本実施形態においては、トップカバー７６を、メインカバー７４から取り外すことで、メインカバー開口部７４１を開状態とすることが可能である。
【００６２】
以上のように構成される便器装置１の作用について説明する。
図８に示すように、機能部７のトップカバー７６を取り外した状態において、メインカバー７４のメインカバー開口部７４１から水が浸入する場合がある。
この場合において、機能部７には、防水部品８０（サブカバー延出部材８１、貫通開口部シール部材８２、第１側縁部シール部材８３、第２側縁部シール部材８４、上部シール部材８５、第１上面貫通孔シール部材８６、第２上面貫通孔シール部材８７）が設けられている。そのため、内部空間Ｋ２に配置された電気部品７０（メイン基板７２、サブ基板７３など）に水が掛かることを抑制できる。
【００６３】
ここで、メインカバー７４のメインカバー開口部７４１から水が浸入した場合に、メインカバー７４のメインカバー開口部７４１から浸入した水は、メインカバー７４の露出空間Ｋ１において、水が浸入しても影響のない部材の間を通り、図９に示すように、前ベース７１１及び後ベース７１２の間の隙間Ｓを通って、便器本体２側に移動する。
【００６４】
このような場合に、図２に示すように、便器本体２には、防水部材６が取り付けられている。そのため、機能部７から便器本体２側に移動した水は、防水部材６の上面部６１に沿って誘導されて移動され、第１側面部６２、第２側面部６３及び第３側面部６４に沿って下方に落とされる。これにより、プリント基板４３及びポンプ４４のコネクタ４４１等の電気部品４０に水が掛かることを低減できる。
また、第３側面部６４の下端部６４ａが、便器３の後部壁部３１１の背面壁３１１ａに形成される貫通開口３４の少なくも一部に対向して配置される。そのため、便器３の貫通開口３４から浸入した水は、第３側面部６４の下端部６４ａにより、電気部品４０側に浸入することが抑制され、電気部品４０（プリント基板４３及びポンプ４４のコネクタ４４１等）に掛かることを低減できる。
【００６５】
以上説明した本実施形態に係る便器装置１によれば、例えば、以下のような効果が奏される。
本実施形態の便器装置１は、便器３と、便器３の後部に配置される洗浄装置収容部３２と、収容部３２に収容され電気部品４０を有する便器洗浄装置４と、を備え、便器３と収容部３２とは、陶器により一体で形成され、電気部品４０の少なくとも一部を覆うように電気部品４０の上方及び／又は側方に配置される防水部材６を備える。そのため、防水部材６により電気部品４０の少なくとも一部が覆われるため、開口部３３から浸入した水が、電気部品４０に水が掛かることを低減できる。
【００６６】
また、本実施形態においては、防水部材６は、電気部品４０の上方に配置される上面部６１を有する。これにより、電気部品４０の上方に配置される上面部６１により、上方側から水が掛かることを低減できる。
【００６７】
また、本実施形態においては、上面部６１は、洗浄装置収容部３２と便器３とに跨って延びる上面部延出部６１３を有する。そのため、上面部６１における便器洗浄装置４側に掛かった水を、上面部延出部６１３により、洗浄装置収容部３２に落下させずに、便器３側に誘導できる。これにより、便器洗浄装置４の電気部品４０に、水が掛かることを低減できる。
【００６８】
また、本実施形態においては、上面部６１の下面には、緩衝部材６５が設けられる。これにより、防水部材６を、安定した状態で設置することができる。
【００６９】
また、本実施形態においては、防水部材６は、電気部品４０の側方に配置される側面部（第１側面部６２、第２側面部６３、第３側面部６４）を有する。そのため、上面部６１により誘導された水を、側面部に沿って、下方に落下させることができる。これにより、上面部６１の裏側に水が回り込むことが低減され、電気部品４０に水が掛かることを低減できる。
【００７０】
また、本実施形態においては、洗浄装置収容部３２は、後部に形成され上下方向に延びる背面壁３１１ａと、背面壁３１１ａに形成される貫通開口３４と、を有し、第３側面部６４は、貫通開口３４の少なくとも一部に対向して配置される下端部６４ａを有する。これにより、貫通開口３４から浸入する水は、電気部品４０側に向かうことが妨げられて第３側面部６４の下端部６４ａに沿って下方に移動される。よって、貫通開口３４から浸入する水が、電気部品４０に掛かることを低減できる。
【００７１】
また、本実施形態においては、防水部材６は、１枚のシートから形成される。これにより、簡易な構成で、電気部品４０に水が掛かることを低減できる防水部材６を作製できる。
【００７２】
本発明は上記実施形態に限定されるものではなく、本発明の目的を達成できる範囲での変形、改良等は本発明に含まれる。
例えば、前記実施形態では、機能部７において、トップカバー７６をメインカバー７４から取り外し可能な構成としたが、これに限定されない。トップカバー７６を、ヒンジを介して、メインカバー７４に対して回転可能に開閉するように構成してもよい。
【００７３】
また、前記実施形態では、メインカバー開口部７４１を塞ぐカバー部材を、トップカバー７６として、機能部７の上部に配置したが、カバー部材が配置される位置は限定されない。例えば、メインカバー開口部７４１が側方に開口する場合には、カバー部材を機能部の側部に配置してもよい。
【００７４】
また、前記実施形態においては、防水部材６を板状に形成している。板状の防水部材としては、例えば、平板状のシートや、前記実施形態のように１枚のシートを折り曲げて形成したものや、複数枚のシートを接続して形成したものや、板状の部材に凹凸形状を施したもの（例えば、一般的に卵パックと呼ばれる鶏卵用容器の形状のようなもの）などが含まれる。
【００７５】
また、前記実施形態では、防水部材６を、電気部品３０の上方及び側方の両方に配置するように構成したが、これに限定されず、電気部品３０の上方又は側方のいずれか一方に配置するように構成してもよい。例えば、前記実施形態において、防水部材６を、上面部６１のみで構成してもよいし、側面部（第１側面部６２、第２側面部６３及び第３側面部６４）のみで構成してもよい。
【符号の説明】
【００７６】
１  便器装置
３  便器
４  便器洗浄装置（洗浄装置）
６  防水部材
３２  洗浄装置収容部（収容部）
３３  便器開口部（開口部）
３４  貫通開口
４０  電気部品
６１  上面部
６２  第１側面部（側面部）
６３  第２側面部（側面部）
６４  第３側面部（側面部）
６４ａ  下端部（対向面部）
６５  緩衝部材
３１１ａ  背面壁（壁部）
６１３  上面部延出部（延出部）
【図１】
2020169538.tif 000003
【図２】
2020169538.tif 000004
【図３】
2020169538.tif 000005
【図４】
2020169538.tif 000006
【図５】
2020169538.tif 000007
【図６】
2020169538.tif 000008
【図７】
2020169538.tif 000009
【図８】
2020169538.tif 000010
【図９】
2020169538.tif 000011
【図１０】
2020169538.tif 000012
【図１１】
2020169538.tif 000013
【図１２】
2020169538.tif 000014